(57)【要約】      （修正有）【課題】無線通信システムにおける、主周波数帯域および少なくとも一つの副周波数帯域が設定されている携帯機器のための、アップリンク送信を実行する方法を提供する。【解決手段】サブフレーム内における送信のための第一のアップリンク割当てを受信する工程、当該サブフレーム内における主周波数帯域での送信のための、ランダムアクセス応答メッセージに含まれた第二のアップリンク割当てを受信する工程、ならびに、当該主周波数帯域および当該少なくとも一つの副周波数帯域のうち、当該第一のアップリンク割当てを受信した周波数帯域によって、当該サブフレーム内における送信を実行する工程を包含している。【選択図】図４
2011259431.tif 000002
【特許請求の範囲】
【請求項１】
無線通信システムにおける、主周波数帯域および少なくとも一つの副周波数帯域が設定されている携帯機器のための、アップリンク送信を実行する方法であって、
サブフレーム内における送信のための第一のアップリンク割当てを受信する工程、
当該サブフレーム内における当該主周波数帯域での送信のための、ランダムアクセス応答メッセージに含まれた第二のアップリンク割当てを受信する工程、ならびに、
当該主周波数帯域および当該少なくとも一つの副周波数帯域のうち、受信した当該第一のアップリンク割当ての対象の周波数帯域によって、当該サブフレーム内における送信を実行する工程を包含していることを特徴とする方法。
【請求項２】
上記主周波数帯域および上記少なくとも一つの副周波数帯域のうち、受信した上記第一のアップリンク割当ての対象の周波数帯域によって、上記サブフレーム内における送信を実行する上記工程では、
受信した上記第一のアップリンク割当ての対象が、上記少なくとも一つの副周波数帯域のうちの一つである場合、上記サブフレーム内において、上記第一のアップリンク割当てを用いて第一のデータブロックを送信し、上記第二のアップリンク割当てを用いて第二のデータブロックを送信することを特徴とする請求項１に記載の方法。
【請求項３】
上記主周波数帯域および上記少なくとも一つの副周波数帯域のうち、受信した上記第一のアップリンク割当ての対象の周波数帯域によって、上記サブフレーム内における送信を実行する上記工程では、
受信した上記第一のアップリンク割当ての対象が、上記主周波数帯域である場合、上記サブフレーム内において、上記第一のアップリンク割当てを用いて第一のデータブロックを送信するか、または、上記第二のアップリンク割当てを用いて第二のデータブロックを送信することを特徴とする請求項１に記載の方法。
【請求項４】
無線通信システムにおける、少なくとも二つの周波数帯域および測定ギャップが設定されている携帯機器のための、アップリンク送信を実行する方法であって、
当該測定ギャップを含むサブフレーム内における、当該少なくとも二つの周波数帯域のうち第一の周波数帯域での送信のためのアップリンクリソースを受信する工程、
当該アップリンクリソースを処理する工程、および、
当該少なくとも二つの周波数帯域のうち、当該測定ギャップの設定対象の周波数帯域によって、当該サブフレーム内における当該アップリンクリソースを用いたデータの送信を実行する工程を包含していることを特徴とする方法。
【請求項５】
上記少なくとも二つの周波数帯域のうち、上記測定ギャップの設定対象の周波数帯域によって、上記サブフレーム内における上記アップリンクリソースを用いたデータの送信を実行する上記工程では、
上記測定ギャップが、上記少なくとも二つの周波数帯域のうち、上記第一の周波数帯域とは異なる第二の周波数帯域を対象に設定されている場合、上記アップリンクリソースを用いて、データを送信することを特徴とする請求項４に記載の方法。
【請求項６】
上記少なくとも二つの周波数帯域のうち、上記測定ギャップの設定対象の周波数帯域によって、上記サブフレーム内における上記アップリンクリソースを用いたデータの送信を実行する上記工程では、
上記測定ギャップが、上記第一の周波数帯域を対象に設定されている場合、上記アップリンクリソースを用いたデータの送信を行わないことを特徴とする請求項４に記載の方法。
【請求項７】
上記アップリンクリソースは、ＰＤＣＣＨ上で受信したアップリンク割当てであり、上記データは、メディアアクセス制御（ＭＡＣ）プロトコルデータユニット（ＰＤＵ）を含んでいることを特徴とする請求項４に記載の方法。
【請求項８】
上記アップリンクリソースは、物理アップリンク制御チャネル（ＰＵＣＣＨ）リソースであり、上記データは、ハイブリッド自動再送要求（ＨＡＲＱ）フィードバック、チャネル品質情報（ＣＱＩ）、プリコーディング行列情報（ＰＭＩ）、ランク情報（ＲＩ）、スケジューリング要求（ＳＲ）、および、サウンディング参照信号（ＳＲＳ）のうちの少なくとも一つを含んでいることを特徴とする請求項４に記載の方法。
【請求項９】
アップリンク送信を実行するための、無線通信システムにおける通信機器であって、
主周波数帯域および少なくとも一つの副周波数帯域が設定されており、
サブフレーム内における送信のための第一のアップリンク割当てを受信する手段、
当該サブフレーム内における主周波数帯域での送信のための、ランダムアクセス応答メッセージに含まれた第二のアップリンク割当てを受信する手段、ならびに、
当該主周波数帯域および当該少なくとも一つの副周波数帯域のうち、受信した当該第一のアップリンク割当ての対象の周波数帯域によって、当該サブフレーム内における送信を実行する手段を備えていることを特徴とする通信機器。
【請求項１０】
上記主周波数帯域および上記少なくとも一つの副周波数帯域のうち、受信した上記第一のアップリンク割当ての対象の周波数帯域によって、上記サブフレーム内における送信を実行する上記手段が、
受信した上記第一のアップリンク割当ての対象が、上記少なくとも一つの副周波数帯域のうちの一つである場合、上記サブフレーム内において、上記第一のアップリンク割当てを用いて第一のデータブロックを送信し、上記第二のアップリンク割当てを用いて第二のデータブロックを送信する手段を備えていることを特徴とする請求項９に記載の通信機器。
【請求項１１】
上記主周波数帯域および上記少なくとも一つの副周波数帯域のうち、受信した上記第一のアップリンク割当ての対象の周波数帯域によって、上記サブフレーム内における送信を実行する上記手段が、
受信した上記第一のアップリンク割当ての対象が、上記主周波数帯域である場合、上記サブフレーム内において、上記第一のアップリンク割当てを用いて第一のデータブロックを送信するか、または、上記第二のアップリンク割当てを用いて第二のデータブロックを送信する手段を備えていることを特徴とする請求項９に記載の通信機器。
【請求項１２】
アップリンク送信を実行するための、無線通信システムにおける通信機器であって、
主周波数帯域および少なくとも一つの副周波数帯域が設定されており、
当該測定ギャップを含むサブフレーム内における、当該少なくとも二つの周波数帯域のうち第一の周波数帯域での送信のためのアップリンクリソースを受信する手段、
当該アップリンクリソースを処理する手段、および、
当該少なくとも二つの周波数帯域のうち、当該測定ギャップの設定対象の周波数帯域によって、当該サブフレーム内における当該アップリンクリソースを用いたデータの送信を実行する手段を備えていることを特徴とする通信機器。
【請求項１３】
上記少なくとも二つの周波数帯域のうち、上記測定ギャップの設定対象の周波数帯域によって、上記サブフレーム内における上記アップリンクリソースを用いたデータの送信を実行する上記手段が、
上記測定ギャップが、上記少なくとも二つの周波数帯域のうち、上記第一の周波数帯域とは異なる第二の周波数帯域を対象に設定されている場合、上記アップリンクリソースを用いて、データを送信する手段を備えていることを特徴とする請求項１２に記載の通信機器。
【請求項１４】
上記少なくとも二つの周波数帯域のうち、上記測定ギャップの設定対象の周波数帯域によって、上記サブフレーム内における上記アップリンクリソースを用いたデータの送信を実行する上記手段が、
上記測定ギャップが、上記第一の周波数帯域を対象に設定されている場合、上記アップリンクリソースを用いたデータの送信を行わない手段を備えていることを特徴とする請求項１２に記載の通信機器。
【請求項１５】
上記アップリンクリソースは、ＰＤＣＣＨ上で受信したアップリンク割当てであり、上記データは、メディアアクセス制御（ＭＡＣ）プロトコルデータユニット（ＰＤＵ）を含んでいることを特徴とする請求項１２に記載の通信機器。
【請求項１６】
上記アップリンクリソースは、物理アップリンク制御チャネル（ＰＵＣＣＨ）リソースであり、上記データは、ハイブリッド自動再送要求（ＨＡＲＱ）フィードバック、チャネル品質情報（ＣＱＩ）、プリコーディング行列情報（ＰＭＩ）、ランク情報（ＲＩ）、スケジューリング要求（ＳＲ）、および、サウンディング参照信号（ＳＲＳ）のうちの少なくとも一つを含んでいることを特徴とする請求項１２に記載の通信機器。
【発明の詳細な説明】
【技術分野】
【０００１】
本発明は、無線通信システムにおいて用いられる方法および関連する通信機器に関するものであり、より詳細には、無線通信システムにおいてアップリンク送信を実行する方法および関連する通信機器に関するものである。
【背景技術】
【０００２】
第三世代パートナーシッププロジェクト（３ＧＰＰ：third generation partnership project）によって先導されたロングタームエボリューション（ＬＴＥ：long-term evolution）システムは、現在では、高速データ転送、低レイテンシ、パケットの最適化ならびに改善したシステム容量およびカバレッジを提供する新規な無線通信インターフェースおよび無線通信ネットワークアーキテクチャであると見なされている。ＬＴＥシステムでは、進化型ユニバーサル地上無線アクセスネットワーク（Ｅ−ＵＴＲＡＮ：evolved universal terrestrial radio access network）が、複数の進化型ノードＢ（ｅＮＢ：evolved Node-B）を備え、複数の移動局と通信する。移動局は、また、ユーザ機器（ＵＥ：user equipment）とも称される。
【０００３】
ＬＴＥシステムでは、ユーザ機器（ＵＥ）は、周波数レイヤの品質または無線通信信号の強度といった通信品質を測る測定（measurement）を実行する。これは、ＵＥのモビリティのために、Ｅ−ＵＴＲＡＮによって制御されている。測定は、その時のＵＥの動作周波数によって、周波数内（intra-frequency）測定と、周波数間（inter-frequency）／無線アクセス技術間（inter-RAT）測定との二種類に分類される。周波数内測定は、主に、同一の周波数層内（すなわち、同一のキャリア周波数を有するセル間）におけるモビリティのために実行される。一方、周波数間／無線アクセス技術間測定は、主に、異なる周波数層間（すなわち、異なるキャリア周波数を有するセル間）におけるモビリティのために実行される。さらに、周波数間／無線アクセス技術間測定は、ネットワークによって設定された測定ギャップ（measurement gap）のようなアップリンク（上り回線）／ダウンリンク（下り回線）の休止期間において実行される。測定ギャップの間、アップリンク送信およびダウンリンク送信は両方とも禁止される。それゆえ、周波数間／無線アクセス技術間測定は、測定ギャップの間に実行され得る。
【０００４】
ロングタームエボリューション−アドバンスト（ＬＴＥ−Ａ：long term evolution-advanced）システムは、その名称が示唆するように、ＬＴＥシステムの進化型である。ＬＴＥ−Ａシステムは、より高速な電力状態間の切り替え、および、セル境界部における性能の向上を目的とし、バンド幅の拡張、多地点協調送信／受信（ＣｏＭＰ：coordinated multipoint transmission/reception）、アップリンク（ＵＬ）多入力多出力（ＭＩＭＯ：multiple-input multiple-output）などといった主題を包含している。
【０００５】
バンド幅の拡張のため、キャリアアグリゲーション（carrier aggregation）がＬＴＥ−Ａシステムに導入されている。キャリアアグリゲーションによれば、二つ以上の周波数帯域（component carrier、要素キャリア）が、より広いバンド幅の送信を達成するために集約される。これにより、ＬＴＥ−Ａシステムは、最大５つの周波数帯域を集約することにより、最大１００ＭＨｚまでの広いバンド幅をサポートし得る。各周波数帯域のバンド幅は、２０ＭＨｚであり、３ＧＰＰ  Ｒｅｌ−８.との後方互換性を有する。ＬＴＥ−Ａの仕様は、連続する、または、連続しない周波数帯域（各々の周波数帯域は最大１１０リソースブロックまでに限定）のキャリアアグリゲーションをサポートしている。キャリアアグリゲーションは、連続しない周波数帯域を集約することにより、バンド幅の柔軟性を向上している。周波数帯域は、ＵＬ周波数帯域またはダウンリンク（ＤＬ）周波数帯域として用いられる。さらに、ＵＬ周波数帯域とＤＬ周波数帯域との間には一対一の対応関係が存在する。すなわち、各ＵＬ周波数帯域は、対応するＤＬ周波数帯域と対になっている。ＬＴＥ−Ａ時分割複信（ＴＤＤ：time-division duplex）システムでは、ＵＬ周波数帯域およびＤＬ周波数帯域は、同一の周波数帯域である。
【０００６】
ＵＥが、キャリアアグリゲーション（ＣＡ）を実行するように設定されている場合、当該ＵＥは、データ転送速度を向上させるために、単一または複数の周波数帯域でデータの受信および送信を行うことができる。ＬＴＥ−Ａシステムでは、ｅＮＢは、ＵＥに対して、ＵＬおよびＤＬアグリゲーション能力のそれぞれに応じた、互いに異なる数のＵＬ周波数帯域およびＤＬ周波数帯域を設定することができる。さらに、ＵＥに設定された周波数帯域は、必ず、一つのＤＬ主周波数帯域（ＰＣＣ：primary component carrier）と、一つのＵＬ主周波数帯域を含んでいる。主周波数帯域以外の周波数帯域は、ＵＬまたはＤＬ副周波数帯域（ＳＣＣ：secondary component carrier）と称される。ＵＬおよびＤＬ副周波数帯域の数は任意であり、ＵＥの能力および利用可能な無線リソースに相関する。ＵＬおよびＤＬ主周波数帯域は、無線リソース管理（ＲＲＣ：radio resource control）を確立および再確立すること、ならびに、システム情報を送信および受信することのために用いられる。ＵＬまたはＤＬ主周波数帯域は、不活性化され得ないが、ＲＡＣＨ処理を伴うハンドオーバー処理によって変更され得る。しかし、ＵＥがＲＡＣＨ処理を実行し得る周波数帯域は知られておらず、ＵＬまたはＤＬ主周波数帯域の変更処理は、ＲＡＣＨ処理を実行することなく完了させることができない。
【０００７】
第三世代パートナーシッププロジェクト（３ＧＰＰ）によって公開された仕様によれば、同一のＵＬサブフレーム（すなわち、送信時間間隔（ＴＴＩ：transmission time interval））内での送信を要求する（ｉ）ランダムアクセス応答（Random Access Response）に含まれた割当てと（ｉｉ）そのセル無線ネットワーク一時識別子（Ｃ−ＲＮＴＩ：Cell Radio Network Temporary Identifier）、または、半永久スケジューリング（ＳＰＳ：Semi persistent scheduling）Ｃ−ＲＮＴＩの割当てとの両方を、ＵＥが受信した場合、当該ＵＥは、そのＲＡ−ＲＮＴＩの割当て、または、そのＣ−ＲＮＴＩもしくは半永久スケジューリングＣ−ＲＮＴＩの割当ての何れかを継続させることを選択し得る。
【０００８】
しかし、もし、ＵＥに主周波数帯域および少なくとも一つの副周波数帯域（すなわち、それぞれ、Ｐセル、および、少なくとも一つのＳセルに対応）が設定されていた場合、当該ＵＥは、主周波数帯域でのランダムアクセス処理の間に、ＰＤＣＣＨ上で、副周波数帯域を対象とする第一のアップリンク割当てを受信し得るとともに、同一サブフレーム内送信のための、ランダムアクセス応答メッセージに含まれた第二のアップリンク割当てを受信し得る。このような状況下において、当該ＵＥは、上記サブフレーム内送信のため、ＰＤＣＣＨ上での第一のアップリンク割当て、または、ランダムアクセス応答メッセージに含まれた第二のアップリンク割当ての何れかを選択する。これは、効率的ではない。なぜなら、第一のアップリンク割当て、および、第二のアップリンク割当ては、互いに異なる周波数帯域、すなわち、それぞれ、第二の周波数帯域、および、第一の周波数帯域を対象とするものであるにも拘わらず、一つの送信のみしか許可されないからである。
【０００９】
一方、３ＧＰＰによって公開された仕様によれば、測定ギャップにおいて、設定済みアップリンク割当て（すなわち、ＳＰＳ割当て）が指示され、それが測定ギャップにおけるＵＬ−ＳＣＨ送信を指示しているとき、ＵＥは、当該設定済み割当てを処理するが、アップリンク共有チャネル（ＵＬ−ＳＣＨ：Uplink Shared Channel）上の送信を実行しない。すなわち、情報送信のためのＳＰＳ割当ては処理しつつも、対応するデータは送信しない。
【００１０】
しかし、もし、ＵＥに主周波数帯域および少なくとも一つの副周波数帯域（すなわち、それぞれ、Ｐセル、および、少なくとも一つのＳセルに対応）が設定されていた場合、当該ＵＥは、副周波数帯域を対象とする測定ギャップ設定、および、測定ギャップにおけるＵＬ−ＳＣＨ送信を指示する主周波数帯域の設定済みアップリンク割当てを有し得る。なぜなら、当該ＵＥは、異なる周波数帯域に対して互いに異なる測定ギャップ設定を有し得るからである。このような状況下において、当該ＵＥは、ＵＬ−ＳＣＨ送信を実行しない。測定ギャップおよび設定済みアップリンク割当ては、互いに異なる周波数リソースを占めるため、送信による設定済みアップリンク割当てリソースの消費は生じない。
【先行技術文献】
【非特許文献】
【００１１】
【非特許文献１】3GPP TS 36.321 v9.2.0, 2010/03
【非特許文献２】3GPP TSG-RAN WG2 Meeting #70 R2-103427, Stage 2 description of carrier Aggregation, 2010/05
【発明の概要】
【００１２】
本願は、アップリンク送信を実行するための方法および関連する通信機器を提供する。
【００１３】
無線通信システムにおける、主周波数帯域および少なくとも一つの副周波数帯域が設定されている携帯機器のための、アップリンク送信を実行する方法が開示される。当該方法は、サブフレーム内における送信のための第一のアップリンク割当てを受信する工程、当該サブフレーム内における主周波数帯域での送信のための、ランダムアクセス応答メッセージに含まれた第二のアップリンク割当てを受信する工程、ならびに、当該主周波数帯域および当該少なくとも一つの副周波数帯域のうち、受信した当該第一のアップリンク割当ての対象の周波数帯域によって、当該サブフレーム内における送信を実行する工程を包含している。
【００１４】
無線通信システムにおける、少なくとも二つの周波数帯域および測定ギャップが設定されている携帯機器のための、アップリンク送信を実行する方法が開示される。当該方法は、当該測定ギャップを含むサブフレーム内における、当該少なくとも二つの周波数帯域のうち第一の周波数帯域での送信のためのアップリンクリソースを受信する工程、当該アップリンクリソースを処理する工程、および、当該少なくとも二つの周波数帯域のうち、当該測定ギャップの設定対象の周波数帯域によって、当該サブフレーム内における当該アップリンクリソースを用いたデータの送信を実行する工程を包含している。
【００１５】
アップリンク送信を実行するための、無線通信システムにおける通信機器が開示される。当該通信機器には、主周波数帯域および少なくとも一つの副周波数帯域が設定されており、サブフレーム内における送信のための第一のアップリンク割当てを受信する手段、当該サブフレーム内における主周波数帯域での送信のための、ランダムアクセス応答メッセージに含まれた第二のアップリンク割当てを受信する手段、ならびに、当該主周波数帯域および当該少なくとも一つの副周波数帯域のうち、受信した当該第一のアップリンク割当ての対象の周波数帯域によって、当該サブフレーム内における送信を実行する手段を備えている。
【００１６】
アップリンク送信を実行するための、無線通信システムにおける通信機器が開示される。当該通信機器には、主周波数帯域および少なくとも一つの副周波数帯域が設定されており、当該測定ギャップを含むサブフレーム内における、当該少なくとも二つの周波数帯域のうち第一の周波数帯域での送信のためのアップリンクリソースを受信する手段、当該アップリンクリソースを処理する手段、および、当該少なくとも二つの周波数帯域のうち、当該測定ギャップの設定対象の周波数帯域によって、当該サブフレーム内における当該アップリンクリソースを用いたデータの送信を実行する手段を備えている。
【００１７】
本発明の上記およびその他の目的は、種々の図面に描かれている以下の好適な実施形態の詳細な説明を読めば当業者にとって疑いもなく明らかになるであろう。
【図面の簡単な説明】
【００１８】
【図１】典型的な無線通信システムを示す模式図である。
【図２】典型的な通信機器を示す模式図である。
【図３】図２におけるプログラムコードを説明する図である。
【図４】本発明の一実施形態に係る処理のフローチャートである。
【図５】本発明の一実施形態に係る処理のフローチャートである。
【発明を実施するための形態】
【００１９】
図１を参照されたい。図１は、典型的な無線通信システム１０の模式図である。無線通信システム１０は、ＬＴＥ−アドバンストシステム、または、他の移動体通信システム（例えば、ＬＴＥ、ＷＣＤＭＡ、ＨＳＰＡ、ＧＳＭ、ＥＤＧＥなど）であり得る。図１に示す構造のように、無線通信システム１０は、概して、ネットワークおよび複数のユーザ機器（ＵＥ）から構成される。ＬＴＥ−アドバンストシステムでは、ネットワークは、進化型ユニバーサル地上無線アクセスネットワーク（Ｅ−ＵＴＲＡＮ）と称され、複数の進化型基地局（ｅＮＢ）を備えている。ＵＥは、携帯電話機、コンピュータシステムなどの機器であり得る。また、ネットワークおよびＵＥは、送信の方向に応じて、送信機または受信機として見ることができる。例えば、アップリンク（ＵＬ、上り回線）では、ＵＥは送信機であり、ネットワークは受信機である。また、ダウンリンク（ＤＬ、下り回線）では、ネットワークが送信機であり、ＵＥが受信機である。
【００２０】
図２を参照されたい。図２は、典型的な通信機器２０の模式図である。通信機器２０は、図１に示すＵＥまたはネットワークであり得、マイクロプロセッサまたはＡＳＩＣのような処理手段２００、記憶ユニット２１０、および、通信インターフェースユニット２２０を備え得る。記憶ユニット２１０は、任意のデータ記憶装置であり得、処理手段２００がアクセスするプログラムコード２１４を記憶することができる。記憶ユニット２１０の例として、これらに限定されるものではないが、加入者識別モジュール（ＳＩＭ）、リードオンリーメモリ（ＲＯＭ）、ランダムアクセスメモリ（ＲＡＭ）、ＣＤ−ＲＯＭ、磁気テープ、フロッピー（登録商標）ディスク、および、光学式データ記憶装置が挙げられる。通信インタフェースユニット２２０は、処理手段２００の処理結果に従って、ネットワークとの間で無線通信を行う無線送受信機であることが好ましい。
【００２１】
図３を参照されたい。図３は、図２におけるプログラムコード２１４を説明する図である。プログラムコード２１４は、複数の通信プロトコルレイヤ（上から順に、無線リソース管理（ＲＲＣ：radio resource control）レイヤ３００、パケットデータコンバージェンスプロトコル（ＰＤＣＰ：packet data convergence protocol）レイヤ３１０、無線リンク制御（ＲＬＣ：radio link control）レイヤ３２０、メディアアクセス制御（ＭＡＣ：medium access control）レイヤ３３０、および、物理（ＰＨＹ：physical）レイヤ３４０である）のプログラムコードを含んでいる。ＰＨＹレイヤ３４０は、物理ランダムアクセスチャネル（ＰＲＡＣＨ：Physical Random Access Channel）、物理アップリンク制御チャネル（ＰＵＣＣＨ：Physical Uplink Control Channel）、物理アップリンク共有チャネル（ＰＵＣＣＨ：Physical Uplink Shared Channel）、物理ダウンリンク制御チャネル（ＰＤＣＣＨ：Physical Downlink Control Channel）、物理ダウンリンク共有チャネル（ＰＤＣＣＨ：Physical Downlink Shared Channel）といった物理チャネル（physical channel）を備えている。
【００２２】
ＬＴＥ−Ａシステムでは、ＰＨＹレイヤ３４０およびＭＡＣレイヤ３３０は、キャリアアグリゲーション（ＣＡ）技術をサポートし得る。キャリアアグリゲーション技術は、ＵＥが、一つまたは複数の周波数帯域を介してデータの送信および／または受信を実行することを可能にする。このような状況下において、本発明の実施形態は、ＵＥがアップリンク送信を効率的に実行するためのプログラムコード２１４を提供する。
【００２３】
図４を参照されたい。図４は、本発明の実施形態に係る処理４０のフローチャートである。処理４０は、無線通信システムにおいてＵＥがアップリンク送信を実行するために用いられる。当該無線通信システムは、無線通信システム１０であり得る。当該ＵＥには、第一の主周波数帯域および少なくとも一つの副周波数帯域が設定されている。処理４０は、プログラムコード２１４にコンパイルされ得るものであり、以下のステップを包含する。
【００２４】
ステップ４００：開始。
【００２５】
ステップ４０２：サブフレーム内における送信のための第一のアップリンク割当てを受信する。
【００２６】
ステップ４０４：当該サブフレーム内における主周波数帯域での送信のための、ランダムアクセス応答メッセージに含まれた第二のアップリンク割当てを受信する。
【００２７】
ステップ４０６：当該主周波数帯域および当該少なくとも一つの副周波数帯域のうち、受信した当該第一のアップリンク割当ての対象の周波数帯域によって、当該サブフレーム内における送信を実行する。
【００２８】
ステップ４０８：終了。
【００２９】
処理４０によれば、ＵＥには、主周波数帯域および少なくとも一つの副周波数帯域（例えば、Ｐセル、および、少なくとも一つのＳセルに対応するもの）が設定されている。当該ＵＥが、サブフレーム内における送信のための第一のアップリンク割当てを受信するとともに、同一のサブフレーム内における主周波数帯域での送信のための、ランダムアクセス応答メッセージに含まれた第二のアップリンク割当てを受信したとき、当該ＵＥは、当該主周波数帯域および当該少なくとも一つの副周波数帯域のうち、受信した当該第一のアップリンク割当ての対象の周波数帯域によって、当該サブフレーム内における送信を実行する。
【００３０】
詳細には、もし、当該少なくとも一つの副周波数帯域のうちの一つについて、当該第一のアップリンク割当てを受信した場合、ＵＥは、同一のサブフレーム内において、第一のデータブロックを、第一のアップリンク割当てを用いて送信することができるとともに、第二のデータブロックを、第二のアップリンク割当てを用いて送信することができる。なぜなら、第一のアップリンク割当て、および、第二のアップリンク割当ては、同一のサブフレーム内における、それぞれ異なる周波数帯域（それぞれ、当該副周波数帯域、および、当該主周波数帯域）での送信についてのものであるからである。一方、もし、当該主周波数帯域について、当該第一のアップリンク割当てを受信した場合、ＵＥは、同一のサブフレーム内において、第一のデータブロックを、第一のアップリンク割当てを用いて送信するか、または、第二のデータブロックを、第二のアップリンク割当てを用いて送信する。なぜなら、第一のアップリンク割当て、および、第二のアップリンク割当ては、同一のサブフレーム内における、同一の主周波数帯域での送信についてのものであるからである。結果として、ＵＥは、受信した第一のアップリンク割当ての対象の周波数帯域によって、サブフレーム内における送信を共に実行することができる。これにより、同一のサブフレーム内において、互いに異なる周波数帯域についての第一のアップリンク割当ておよび第二のアップリンク割当てによって要求される送信を実行することができる。
【００３１】
図５を参照されたい。図５は、本発明の実施形態に係る処理５０のフローチャートである。処理５０は、無線通信システムにおいてＵＥがアップリンク送信を実行するために用いられる。当該無線通信システムは、無線通信システム１０であり得る。当該ＵＥには、少なくとも二つの周波数帯域および測定ギャップが設定されている。処理５０は、プログラムコード２１４にコンパイルされ得るものであり、以下のステップを包含する。
【００３２】
ステップ５００：開始。
【００３３】
ステップ５０２：当該測定ギャップを含むサブフレーム内における、当該少なくとも二つの周波数帯域のうち第一の周波数帯域での送信のためのアップリンクリソースを受信する。
【００３４】
ステップ５０４：当該アップリンクリソースを処理する。
【００３５】
ステップ５０６：当該少なくとも二つの周波数帯域のうち、当該測定ギャップの設定対象の周波数帯域によって、当該サブフレーム内における当該アップリンクリソースを用いたデータの送信を実行する。
【００３６】
ステップ５０８：終了。
【００３７】
処理５０によれば、ＵＥには、少なくとも二つの周波数帯域（例えば、主周波数帯域および少なくとも一つの副周波数帯域）および測定ギャップが設定されている。当該ＵＥが、当該測定ギャップを含むサブフレーム内における、当該少なくとも二つの周波数帯域のうち第一の周波数帯域での送信のためのアップリンクリソースを受信したとき、当該ＵＥは、情報送信のため当該アップリンクリソースを処理し、そして、当該少なくとも二つの周波数帯域のうち、当該測定ギャップの設定対象の周波数帯域によって、当該サブフレーム内における、当該アップリンクリソースを用いたデータの送信を実行する。
【００３８】
詳細には、もし、当該測定ギャップが、当該少なくとも二つの周波数帯域のうち、第一の周波数帯域とは異なる第二の周波数帯域を対象に設定されている場合、当該ＵＥは、当該アップリンクリソースを用いて、データを送信する。なぜなら、当該測定ギャップおよび当該アップリンクリソースは、異なる周波数帯域を対象とするものであるからである。一方、もし、当該測定ギャップが、当該第一の周波数帯域を対象に設定されている場合、当該ＵＥは、当該アップリンクリソースを用いたデータの送信を行わない。なぜなら、当該測定ギャップおよび当該アップリンクリソースは、同一の周波数帯域を対象とするものであるからである。結果として、当該ＵＥは、測定ギャップの設定対象の周波数帯域によって、サブフレーム内における送信を実行することができる。これにより、測定ギャップおよびアップリンクリソースが、異なる周波数帯域を対象するものであるときに、当該アップリンクリソースによって要求された送信を実行する。
【００３９】
なお、処理５０において、上記アップリンクリソースおよび対応するデータは、いかなる特定のタイプにも限定されない。例えば、一実施形態において、上記アップリンクリソースは、ＰＤＣＣＨ上で受信したアップリンク割当てであり得、上記データは、メディアアクセス制御（ＭＡＣ）プロトコルデータユニット（ＰＤＵ：Protocol Data Unit）を含み得る。他の実施形態において、上記アップリンクリソースは、物理アップリンク制御チャネル（ＰＵＣＣＨ）リソースであり得、上記データは、ハイブリッド自動再送要求（ＨＡＲＱ：Hybrid Automatic Repeat Request）フィードバック、チャネル品質情報（ＣＱＩ：Channel Quality Indicator）、プリコーディング行列情報（ＰＭＩ：precoding matrix indicator）、ランク情報（ＲＩ：rank indication）、スケジューリング要求（ＳＲ：scheduling request）、および、サウンディング参照信号（ＳＲＳ：sounding reference signal）のうちの少なくとも一つを含み得る。
【００４０】
なお、提案されたステップを含む上述した各ステップは、ハードウェア、ファームウェア、または、電子装置であり得る手段によって実現され得る。なお、ファームウェアは、ハードウェア装置と、読み出し専用ソフトウェアとして当該ハードウェア装置上に備えられているコンピュータ指令およびデータとの組み合わせとして知られる。ハードウェアの例としては、超小型回路、マイクロチップ、またはシリコンチップとして知られるアナログ、デジタル、および混合回路が挙げられる。電子装置の例としては、システムオンチップ（ＳＯＣ）、システムインパッケージ（Ｓｉｐ）、コンピュータオンモジュール（ＣＯＭ）、および、処理手段２００が上述した処理に関連するプログラムコード２１４を処理し、処理結果が無線通信システム１０におけるアップリンク送信を促進し得る通信機器２０が挙げられる。
【００４１】
従来技術では、ＵＥが、主周波数帯域でのランダムアクセス処理の間に、副周波数帯域を対象とするＰＤＣＣＨ上の第一のアップリンク割当てを受信し、同一サブフレーム内送信のための、ランダムアクセス応答メッセージに含まれた第二のアップリンク割当てを受信したとき、当該ＵＥは、上記サブフレーム内送信のため、ＰＤＣＣＨ上の第一のアップリンク割当て、または、ランダムアクセス応答メッセージに含まれた第二のアップリンク割当ての何れかを選択する。これは、効率的ではない。なぜなら、一つの送信のみしか許可されないからである。一方、ＵＥが、副周波数帯域を対象とする測定ギャップ設定、および、測定ギャップにおけるＵＬ−ＳＣＨ送信を指示する主周波数帯域の設定済みアップリンク割当てを有しているとき、当該ＵＥは、設定済みアップリンク割当てリソースを消費するＵＬ−ＳＣＨ送信を実行しない。
【００４２】
これに対し、本発明の実施形態では、ＵＥは、受信した第一のアップリンク割当ての対象の周波数帯域によって、サブフレーム内における送信を実行することができる。これにより、同一のサブフレーム内において、互いに異なる周波数帯域についての第一のアップリンク割当ておよび第二のアップリンク割当てによって要求される送信を共に実行することができる。また、他の実施形態において、ＵＥは、測定ギャップの設定対象の周波数帯域によって、サブフレーム内における送信を実行することができる。これにより、測定ギャップおよびアップリンクリソースが、異なる周波数帯域を対象するものであるときに、当該アップリンクリソースによって要求された送信を実行する。
【００４３】
以上のように、本発明は、アップリンク送信を効率的に実行することができる。
【００４４】
当業者は、本発明の教示を保持したまま、機器および方法について数々の改変および代替がなされ得ることを容易に理解するだろう。従って、上記開示事項は、特許請求の範囲以外の事項によって限定解釈されるべきではない。
【図１】
2011259431.tif 000003
【図２】
2011259431.tif 000004
【図３】
2011259431.tif 000005
【図４】
2011259431.tif 000006
【図５】
2011259431.tif 000007